(57)【要約】      （修正有）【課題】小規模温室の暖房につき、設備・ランニングコストの低減と効率化を計ること。【解決手段】小規模温室に以下の要素を熱源として組み込む。太陽光を表面に受けて内部の空気を温める装置「空気集熱器」を、内部に「空気抵抗管」を挿入した単純な１本の金属製の円筒で製作する。空気抵抗管は、空気集熱器の内部に温風が通る空隙を作るように、円筒の受光面の反対側に内接される。また空気集熱器の円筒内部に電熱ヒーター組み込む。太陽光、もしくは電熱ヒーターで温められた円筒内の空気は送風ファンによって土壌中に送られる。【選択図】図１
0003101091.tif 000002
【実用新案登録請求の範囲】
【請求項１】
温まっていない空気の混入と流れを遮断する「空気抵抗器」を内蔵する太陽エネルギー集積用空気集熱器。
【請求項２】
補助熱源として電熱ヒーターを内蔵する、太陽エネルギー集積用空気集熱器。
【考案の詳細な説明】
【考案の詳細な説明】
［考案が解決しようとする課題］
【０００１】  近年家庭菜園やガーデニングが人々の関心呼び、ブームになっている。気温の高い季節においては、植物の生育が良く、コストもかからず、その楽しみを享受することができる。しかし気温の低い冬期間においては、多くの植物の栽培・鑑賞のために温室が必要となる。温室には暖房装置を取付け、温度環境が植物にとって適切な暖房設備を選択し、その熱の最適利用を計ることが必要となる。本考案は、家庭で使用するような小規模な温室において、設備コスト、ランニングコストが低く、植物に好適な温度環境を与え得る温室の熱源に関わる。
冬期間のコストのかからない熱源として、太陽光のもつ輻射エネルギー利用は普及している。太陽光から熱エネルギーを採取する手段の１つとして空気集熱方式がある。例えば、家屋の暖房のために、太陽光のエネルギーを暖かい温風に変換し、温風を地下コンクリートに蓄積する方法は既に普及している。小さな温室に対してこの方法を応用する場合、さらにコストの低下と、効率化を計る必要がある。特に太陽エネルギーを温風に変える「空気集熱器」と、太陽光が充分で無い場合の補助暖房機を、一層コンパクトにし、低コストにする必要がある。本考案の課題はこの必要性に応えることである。
［課題を解決するための手段］
【０００２】小規模温室に以下の要素を熱源として組み込む。
太陽光を表面に受けて内部の空気を温める装置「空気集熱器」を、内部に「空気抵抗管」を挿入した単純な１本の金属製の円筒で製作する。空気抵抗管は、空気集熱器の内部に温風が通る空隙を作るように、円筒の受光面の反対側に内接される。また空気集熱器の円筒内部に電熱ヒーター組み込む。
太陽光、もしくは電熱ヒーターで温められた円筒内の空気は送風ファンによって土壌中に送られる。
［考案の効果］
【０００３】「空気集熱器」のコストを、単純な金属製円筒で製作することによって、大幅に下げられる。またその内部に「空気抵抗管」を入れることにより、光の当らない円筒部分に生じる冷たい空気との混合を避け、温まった空気のみを地下に送り、「空気集熱器」の集熱効率を高めることが出来る。
また「空気集熱器」内に電気ヒーターを入れることによって、温風による土壌保温という本システムに合致した方法で補助熱源が確保され、また補助熱源の設置スペースも大幅に小さく出来る。
【図面の簡単な説明】図１で、本考案の小規模温室の正面図を示す。太陽光が注がれる南面を正面とした。金属製円筒の空気集熱器が温室の上部に設置され、その中に集熱効果を高めるために空気抵抗管が内蔵されている。太陽光で温められた空気は電動の送風ファンによって温風ダクトを通して土壌中に送られ、土壌畜熱管の表面から温風の熱が土壌に移動する。土壌畜熱管は土壌中に蛇行して設置され、温風は土壌畜熱管を通り、温風吹出し口から温室内気相中に排出される。温風ダクトには電気ヒーターが内蔵されている空気集熱器も連結されている。太陽光が温室加温を賄えない状態のときに、電気ヒーターによって加温された空気が、温室内の土壌と空気を温める。図２は、空気集熱器の断面を示している。図の右から太陽光が当る。空気抵抗管が光の当らない側に接して内臓され、太陽光によって温められる円筒部分と空気抵抗官の間に隙間が出来、その隙間が温風流動層となる。こうした機構によって、太陽光に温められた空気だけが温風流動層を通って土壌中に送られる。図３は空気抵抗管の分解図である。空気集熱器の内部に接続させるための取付け代と、両側から蓋をするキャップを示している。
【符号の説明】
図１
１．温室〈透明ビニール張り〉
２．空気集熱器
３．空気抵抗管
４．電熱ヒーター
５．送風ファン
６．開閉式入気口
７．温風吹出し口
８．植物栽培土壌
９．土壌築熱管
１０．温風ダクト
図２
１．空気集熱器太陽光受光面
２．空気抵抗管
３．温風流動層
図３
１．空気抵抗管
２．空気抵抗管キャップ
３．取付け代
【図１】
0003101091.tif 000003
【図２】
0003101091.tif 000004
【図３】
0003101091.tif 000005
【手続補正書】
【提出日】平成15年10月27日(2003.10.27)
【手続補正１】
【補正対象書類名】実用新案登録請求の範囲
【補正対象項目名】全文
【補正方法】変更
【補正の内容】
【実用新案登録請求の範囲】
【請求項１】
金属円筒と、その内部に内接し、両端に蓋を有した筒によって構成される、太陽エネルギー集積用空気集熱器。
【請求項２】
金属円筒と、その内部に設置される電熱ヒーターによって構成される、太陽エネルギー集積用空気集熱器。
【手続補正２】
【補正対象書類名】明細書
【補正対象項目名】０００３
【補正方法】変更
【補正の内容】
【０００３】
「空気集熱器」のコストを、単純な金属製円筒で製作することによって、大幅に下げられる。またその内部に「空気抵抗管」を入れることにより、光の当らない円筒部分に生じる冷たい空気との混合を避け、温まった空気のみを地下に送り、「空気集熱器」の集熱効率を高めることが出来る。
また「空気集熱器」内に電気ヒーターを入れることによって、温風による土壌保温という本システムに合致した方法で補助熱源が確保され、また補助熱源の設置スペースも大幅に小さく出来る。
【図面の簡単な説明】
【図１】本考案の小規模温室の正面図を示す。太陽光が注がれる南面を正面とした。金属製円筒の空気集熱器が温室の上部に設置され、その中に集熱効果を高めるために空気抵抗管が内蔵されている。太陽光で温められた空気は電動の送風ファンによって温風ダクトを通して土壌中に送られ、土壌畜熱管の表面から温風の熱が土壌に移動する。土壌畜熱管は土壌中に蛇行して設置され、温風は土壌畜熱管を通り、温風吹出し口から温室内気相中に排出される。温風ダクトには電気ヒーターが内蔵されている空気集熱器も連結されている。太陽光が温室加温を賄えない状態のときに、電気ヒーターによって加温された空気が、温室内の土壌と空気を温める。
【図２】空気集熱器の断面を示す。図の右から太陽光が当る。空気抵抗管が光の当らない側に接して内臓され、太陽光によって温められる円筒部分と空気抵抗官の間に隙間が出来、その隙間が温風流動層となる。こうした機構によって、太陽光に温められた空気だけが温風流動層を通って土壌中に送られる。図３は空気抵抗管の分解図である。空気集熱器の内部に接続させるための取付け代と、両側から蓋をするキャップを示している。
【図３】空気抵抗管の分解図を示す。空気集熱器の内部に接続させるための取付け代と、両側から蓋をするキャップを示している。
【符号の説明】
図１
１．温室〈透明ビニール張り〉
２．空気集熱器
３．空気抵抗管
４．電熱ヒーター
５．送風ファン
６．開閉式入気口
７．温風吹出し口
８．植物栽培土壌
９．土壌畜熱管
１０．温風ダクト
図２
１．空気集熱器太陽光受光面
２．空気抵抗管
３．温風流動層
図３
１．空気抵抗管
２．空気抵抗管キャップ
３．取付け代